(57)【要約】【課題】本発明は、静音性および耐久性を向上させ得ると共に、構造の単純化を図ることができる回転操作装置を提供する。【解決手段】回転軸部１３を有するジョグダイヤル２と、回転軸部１３を径方向に挟持し、回転するジョグダイヤル２に摩擦による制動負荷を付与する負荷付与部７と、制動負荷を大小調節可能な負荷調節部８と、回転軸部１３を回転自在に支持するピボット部４２を有するベース部４、を更に備え、負荷付与部７および負荷調節部８は、ベース部４に取り付けられている。【選択図】図２
2015114792.tif 000002
【特許請求の範囲】
【請求項１】
回転軸部を有する回転操作部と、
前記回転軸部を径方向に挟持し、回転する前記回転操作部に摩擦による制動負荷を付与する負荷付与部と、を備えたことを特徴とする回転操作装置。
【請求項２】
前記制動負荷を大小調節可能な負荷調節部、を更に備えたことを特徴とする請求項１に記載の回転操作装置。
【請求項３】
前記回転軸部を回転自在に支持する固定軸支部を有するベース部、を更に備え、
前記負荷付与部および前記負荷調節部は、前記ベース部に取り付けられていることを特徴とする請求項２に記載の回転操作装置。
【請求項４】
前記負荷付与部は、
前記ベース部に回動自在に取り付けられ、先端部側に前記回転軸部が摺接する摺接部を有して対向配置した一対の挟持レバーと、
前記一対の挟持レバーの基端部側に設けられ、前記一対の挟持レバーを相互に逆方向に付勢するレバー付勢部と、を有していることを特徴とする請求項３に記載の回転操作装置。
【請求項５】
一対の前記摺接部は、前記回転軸部の中心に対し１８０°点対称位置に配置されていることを特徴とする請求項４に記載の回転操作装置。
【請求項６】
前記各摺接部は、フェルトで構成されていることを特徴とする請求項４または５に記載の回転操作装置。
【請求項７】
前記各挟持レバーを回動自在に支持するレバー支軸が、前記回転軸部と前記レバー付勢部との間の前記回転軸部寄りの位置に配設されていることを特徴とする請求項４ないし６のいずれかに記載の回転操作装置。
【請求項８】
前記レバー付勢部は、一方の挟持レバーに当接したコイルばねを有し、
前記負荷調節部は、
他方の挟持レバーの基端部に回転可能に設けられ、前記コイルばねを伸縮させる板カムと、
前記板カムを正逆回転させる調節操作部と、を有していることを特徴とする請求項４ないし７のいずれかに記載の回転操作装置。
【請求項９】
前記調節操作部は、
同軸上において前記板カムに固定した第１ギヤと、
前記第１ギヤに噛み合う第２ギヤと、
同軸上において前記第２ギヤに軸着した調節操作子と、を有していることを特徴とする請求項８に記載の回転操作装置。
【請求項１０】
前記回転操作部が、ジョグダイヤルであることを特徴とする請求項１ないし９のいずれかに記載の回転操作装置。
【発明の詳細な説明】
【技術分野】
【０００１】
本発明は、回転する回転操作部に制動負荷を付与する回転操作装置に関する。
【背景技術】
【０００２】
従来、この種の回転操作装置として、負荷調整装置を備えたジョグテーブルが知られている（特許文献１参照）。このジョグテーブルは、回転操作の主体を為すジョグテーブル部およびその周囲に配置したジョグリング部から成る回転体部と、回転体部を回転自在に支持する軸支台座部とを備えている。軸支台座部は、台座部と天板部とから成り、この台座部とジョグテーブル部と間に、ジョグテーブル部に負荷を与える負荷調整装置が組み込まれている。
負荷調整装置は、負荷設定手段と負荷変更手段とから成る規制手段で構成されている。負荷設定手段は、ジョグテーブル部に一体に形成されたリング歯車に噛み合う規制歯車と、規制歯車の両側に配置した一対の座金と、規制歯車を回転自在に軸支する共に天板部に固定された軸支シャフト部と、一対の付勢板間に配置した状態で軸支シャフト部に装着した付勢コイルばねと、を有している。一方、負荷変更手段は、操作つまみ部と、台座部に回転自在に支持されると共に操作つまみ部が取り付けられた操作シャフトと、操作シャフトに設けられた螺旋係合凹溝部（円筒カム）と、一端が螺旋係合凹溝部に係合し、他端が付勢板を介して付勢コイルばねに当接した動作伝達杆部を有している。
動作伝達杆部は、台座部に回動自在に支持されており、操作つまみ部を回転させることにより、螺旋係合凹溝部を介して、動作伝達杆部がシーソー様に回動する。動作伝達杆部が回動すると、付勢コイルばねが押圧され、規制歯車が一対の座金間に強く挟持される。これにより、規制歯車に負荷が与えられ、これに噛み合うリング歯車を介して、ジョグテーブル部に負荷が付与される。
【先行技術文献】
【特許文献】
【０００３】
【特許文献１】特許第４５７１９７３号公報
【発明の概要】
【発明が解決しようとする課題】
【０００４】
このような、従来のジョグテーブルでは、ジョグテーブル部のリング歯車と負荷設定手段の規制歯車が常に噛み合っているため、ジョグテーブル部の正逆回転操作（スクラッチプレイ）に伴って、ギヤ音が発生する。このギヤ音は、ギヤのバックラッシュ、軸支シャフト部に対する規制歯車のガタツキ、リング歯車の撓みが原因となるが、負荷を伴ったギヤ音は、ＤＪプレイの際の騒音となる。このため、ジョグテーブルに求められる静音性を損なう問題があった。
また、操作つまみ部の回転を動作伝達杆部の回動に変換し、付勢コイルばねを介して規制歯車に負荷を与え、さらに規制歯車からリング歯車に負荷を伝達する構造であるため、構造が極めて複雑になる問題があった。すなわち、部品点数や組付け工数が増大するする共に、動力伝達系の各部の精度（ガタツキ）に起因して、耐久性が損なわれる問題があった。
【０００５】
本発明は、静音性および耐久性を向上させ得ると共に、構造の単純化を図ることができる回転操作装置を提供することを課題としている。
【課題を解決するための手段】
【０００６】
本発明の回転操作装置は、回転軸部を有する回転操作部と、回転軸部を径方向に挟持し、回転する回転操作部に摩擦による制動負荷を付与する負荷付与部と、を備えたことを特徴とする。
【０００７】
この場合、制動負荷を大小調節可能な負荷調節部、を更に備えることが好ましい。
【０００８】
この場合、回転軸部を回転自在に支持する固定軸支部を有するベース部、を更に備え、負荷付与部および負荷調節部は、ベース部に取り付けられていることが好ましい。
【０００９】
この場合、負荷付与部は、ベース部に回動自在に取り付けられ、先端部側に回転軸部が摺接する摺接部を有して対向配置した一対の挟持レバーと、一対の挟持レバーの基端部側に設けられ、一対の挟持レバーを相互に逆方向に付勢するレバー付勢部と、を有していることが好ましい。
【００１０】
この場合、一対の前記摺接部は、回転軸部の中心に対し１８０°点対称位置に配置されていることが好ましい。
【００１１】
また、各摺接部は、フェルトで構成されていることが好ましい。
【００１２】
さらに、各挟持レバーを回動自在に支持するレバー支軸が、回転軸部とレバー付勢部との間の回転軸部寄りの位置に配設されていることが好ましい。
【００１３】
一方、レバー付勢部は、一方の挟持レバーに当接したコイルばねを有し、負荷調節部は、他方の挟持レバーの基端部に回転可能に設けられ、コイルばねを伸縮させる板カムと、板カムを正逆回転させる調節操作部と、を有していることが好ましい。
【００１４】
この場合、調節操作部は、同軸上において板カムに固定した第１ギヤと、第１ギヤに噛み合う第２ギヤと、同軸上において第２ギヤに軸着した調節操作子と、を有していることが好ましい。
【００１５】
また、回転操作部が、ジョグダイヤルであることが好ましい。
【図面の簡単な説明】
【００１６】
【図１】実施形態に係るジョグダイヤルユニット廻りの平面図である。
【図２】実施形態に係るジョグダイヤルユニットの分解斜視図である。
【図３】実施形態に係るジョグダイヤルユニットを模式的に表した断面図である。
【図４】ベース部およびこれに設けられた回転制動機構の斜視図である。
【図５】回転制動機構における板カム廻りの拡大斜視図である。
【図６】回転制動機構におけるレバー付勢部廻りの分解斜視図（ａ）および斜視図（ｂ）である。
【図７】第２実施形態に係るジョグダイヤルユニットを模式的に表した断面図である。
【発明を実施するための形態】
【００１７】
以下、添付の図面を参照して、本発明の一実施形態の係る回転操作装置を適用したジョグダイヤルユニットについて説明する。このジョグダイヤルユニットは、ジョグダイヤルおよびジョグダイヤル廻りの構成部品をユニット化したものであり、ＤＪコントローラやＤＪプレーヤーの操作パネルに組み込まれるものである。そして、このジョグダイヤルユニットでは、ジョグ操作における回転負荷（制動負荷）を調節可能に構成されている。
【００１８】
図１は、ジョグダイヤルユニット廻りの平面図、図２は、ジョグダイヤルユニットの分解斜視図、図３は、ジョグダイヤルユニットの概略断面図である。これらの図に示すように、ジョグダイヤルユニット１は、プレーヤーにより直接操作されるジョグダイヤル２（回転操作部）と、ジョグダイヤル２の円形開口部２ａに臨む表示デバイス部３と、表示デバイス部３を非回転状態に支持すると共にジョグダイヤル２を回転自在に支持するベース部４と、ベース部４に取り付けられ、正逆回転するジョグダイヤル２に制動負荷を付与する回転制動機構５と、を備えている。
【００１９】
回転制動機構５は、ジョグダイヤル２に制動負荷を付与する負荷付与部７と、この制動負荷を調節可能に構成された負荷調節部８と、を有している。負荷付与部７により、ジョグダイヤル２に制動負荷が付与される一方、プレーヤーによる負荷調節部８の調節操作により、ジョグダイヤル２に付与される制動負荷が大小調節される。プレーヤーは、この制動負荷の調節により、ジョグ操作における所望の（好みの）操作感を得るようになっている。
【００２０】
ジョグダイヤル２は、偏平な略円錐台形状を有すると共に、中央部に大きく円形開口部２ａを形成したジョグダイヤル本体１１と、ジョグダイヤル本体１１を下側から支持すると共に、ジョグダイヤル２の回転軸部１３を有するダイヤル支持体１２と、で構成されている。ジョグダイヤル本体１１は、主体を為すダイヤル基体１５と、ダイヤル基体１５の上面に貼着したリング状の化粧板１６と、を有している。ダイヤル基体１５の周縁部は、環状の傾斜面となっており、この部分には、ジョグダイヤル２の回転操作を補助するための複数の回転指標凹部１７が等間隔に形成されている（図２参照）。また、ジョグダイヤル本体１１に形成された円形開口２ａは、上記の表示デバイス部３の表示窓として機能している。
【００２１】
ダイヤル支持体１２は、中心部に円穴２２を形成した円形の底板部２３と底板部２３の周縁から立ち上がった周壁部２４とから成る支持体本体２１と、支持部本体２１の中央部において下方に突設した回転軸部１３と、を有している。周壁部２４の上端部には、周方向に複数の取付け片２５が形成されており（図４参照）、この複数の取付け片２５を介して、ダイヤル支持体１２がジョグダイヤル本体１１（ダイヤル基体１５）の裏面にねじ止めされている。これにより、ジョグダイヤル本体１１がダイヤル支持体１２にねじ止め状態で支持され、ジョグダイヤル本体１１とダイヤル支持体１２とが一体的に回転する。
【００２２】
回転軸部１３は、円筒状の軸部本体２７と、軸部本体２７の上端に設けたフランジ部２８とから成る（図２参照）。底板部２３の円穴２２に軸部本体２７を挿通し、フランジ部２８を底板部２３の上面にねじ止めすることにより、支持体本体２１に回転軸部１３が固定されている。そして、回転軸部１３（軸部本体２７）は、ダイヤル支持体１２およびジョグダイヤル本体１１と同軸上に配置されている（図３参照）。詳細は後述するが、回転軸部１３（軸部本体２７）は、ベース部４に設けたピボット部４２に回転自在に軸支されている。すなわち、ジョグダイヤル２は、回転軸部１３を介して、ピボット部４２にラジアル方向（回転方向）およびスラスト方向（軸方向）において軸支されている（図３参照）。
【００２３】
表示デバイス部３は、上記のジョグダイヤル本体１１とダイヤル支持体１２とで構成される内部スペース３１に配設されており、ジョグダイヤル本体１１の円形開口２ａに臨む表示部３２と、表示部３２を支持する円板状の基板部３３と、基板部３３を保持するベース部３４を有している（図２および図３参照）。表示部３２は、ＬＣＤ等で構成され、スクラッチ再生における各種の情報を表示する。
【００２４】
基板部３３の上面には、表示部３２の駆動回路が設けられている。一方、ベース部３４の中心部下面には、上記のピボット部４２の先端にねじ止め固定される嵌合固定部３５が形成されている（図２および図４参照）。嵌合固定部３５は、ピボット部４２の先端面に位置決めされた状態で、ねじ止めされている。すなわち、表示デバイス部３は、その中心部において、ピボット部４２を介してベース部４に支持されている。
【００２５】
図２および図３に示すように、ベース部４は、複数の抜き孔を形成した円板状のベース部本体４１と、ベース部本体４１の中心部に立設したピボット部４２（固定軸支部）と、ピボット部４２の外側においてピボット部４２と同心上に配設した内側環状リブ部４３と、内側環状リブ部４３の外側においてピボット部４２と同心上に且つ断続的に配設した中間環状リブ部４４と、中間環状リブ部４４の外側においてピボット部４２と同心上に配設した外側環状リブ部４５と、ベース部本体４１の外周端において、外方に突設した複数の取付け片部４６と、ベース部本体４１の外周端を外側環状リブ部４５と共に外方に突出させた機構収容部４７と、を備えている。なお、後述するピボット部４２のピボットリング５２を除いて、これら構成部材は樹脂等で一体に形成されている。
【００２６】
機構収容部４７を含んでベース部４の径方向には、所定の幅を持って外側環状リブ部４５、中間環状リブ部４４および内側環状リブ部４３が切り欠かれており、この部分のベース部本体４１上には、上記の回転制動機構５が設置される機構設置スペース４８が構成されている（図４参照）。
【００２７】
複数の取付け片部４６は、ＤＪコントローラやＤＪプレーヤーにおける操作パネルＰの凹部にねじ止めされる。すなわち、ジョグダイヤルユニット１は、複数の取付け片部４６を介して、操作パネルＰの凹部に没入するように組み込まれる（図３参照）。この状態において、ジョグダイヤル２および後述する負荷調節部８の負荷調整つまみ９３が、操作パネルＰ上に操作可能に露出している（図１参照）。したがって、プレーヤーは、ジョグダイヤル２を回転操作（スクラッチ操作など）しながら、ジョグダイヤル２の制動負荷を調節できるようになっている。
【００２８】
図３および図４に示すように、ピボット部４２は、表示デバイス部３を支持する支軸部５１と、支軸部５１に嵌め込まれた状態で固定されたピボットリング５２と、を有している。支軸部５１の先端には、表示デバイス部３（嵌合固定部３５）が回転止め状態で固定されるよう、扇状の一対の凸部５１ａが設けられている。ピボットリング５２は、ステンレス等で構成され、その外側に嵌め込まれたジョグダイヤル２の回転軸部１３（軸部本体２７）を回転自在に支持している。ステンレス等で構成されたピボットリング５２と、真鍮等で構成された回転軸部１３とは、所定の嵌め合いを持って嵌合しており、ピボット部４２は、ジョグダイヤル２の円滑な正逆回転操作を可能にしている。
【００２９】
次に、図２ないし図６を参照して、回転制動機構５について詳細に説明する。図２ないし図４に示すように、回転制動機構５は、ベース部４の機構設置スペース４８に組み込まれており、上述のように、ジョグダイヤル２に制動負荷を付与する負荷付与部７と、制動負荷を調節可能な負荷調節部８と、を有している。詳細は後述するが、回転制動機構５の入力端には、負荷調節部８の負荷調整つまみ９３が配設され、出力端には、ジョグダイヤル２の回転軸部１３を挟持する負荷付与部７の一対の挟持レバー６１が配設されている。
【００３０】
負荷付与部７は、先端部で上記の回転軸部１３を径方向に挟持する一対の挟持レバー６１と、各挟持レバー６１が回動自在に取り付けられた一対の回動支軸部６２と、一対の回動支軸部６２の近傍に位置して、各挟持レバー６１を抜止め状態に保持する一対の抜止め突起部６３と、一対の挟持レバー６１の基端部側に設けられ、一対の挟持レバー６１を相互に逆方向に付勢するレバー付勢部６４と、を有している。この場合、一対の回動支軸部６２および一対の抜止め突起部６３は、ベース部本体４１と一体に形成されている。
【００３１】
各挟持レバー６１は、板金製のレバー本体６６と、レバー本体６６の先端部に設けられ回転軸部１３が摺接する摺接部６７とを有している。また、一方の挟持レバー６１（左挟持レバー６１Ａ）は、その基端部にレバー付勢部６４が係合する係合片部６８を有し、他方の挟持レバー６１（右挟持レバー６１Ｂ）は、その基端部に後述する板カム８８を回転自在に支持する支持ピン６９を有している（図６（ｂ）参照）。一対の挟持レバー６１は、機構設置スペース４８において線対称となるように、且つ略平行になるように配設されている。
【００３２】
各レバー本体６６には、先端部寄りに位置して、回動支軸部６２に回転自在に係合する回動支点部７１が設けられ、中間部に位置して、抜止め突起部６３に遊嵌されるガイド孔７２が設けられている。また、各レバー本体６６の基端部寄りには、レバー本体６６を機構設置スペース４８に組込みの際に、挟持レバー６１を把持するための把持片７３が折曲げ形成されている（図２および図４参照）。
【００３３】
回動支点部７１は、レバー本体６６に形成したバーリング孔によって回動支軸部６２に回動自在に係合している。ガイド孔７２は、抜止め突起部６３に遊嵌され、挟持レバー６１の微小な回動（挟持動作）を許容する。図示しないが、抜止め突起部６３には上側からビスが螺合し、挟持レバー６１は、機構設置スペース４８に抜止め状態に保持される。
【００３４】
図４ないし図６に示すように、左挟持レバー６１Ａの係合片部６８は、レバー本体６６の基端部を上側に折り曲げるようにして形成されている。係合片部６８の内側には、後述するレバー付勢部６４のコイルばね８１が当接し、また係合片部６８には、後述するレバー付勢部６４のばね保持部８７が挿通する挿通孔６８ａが形成されている（図５参照）。右挟持レバー６１Ｂに立設した支持ピン６９は、真鍮等で形成され、レバー本体６６の基端部に圧入等により固定されている（図６（ｂ）参照）。そして、この支持ピン６９は、板カム８８と一体に形成された第１ギヤ９１（後述する）が、回転自在に支持されている。
【００３５】
図４に示すように、各回動支軸部６２および各抜止め突起部６３は、ベース部本体４１の上面から突出するように、ベース部本体４１と一体に形成されている。この場合、回動支軸部６２は、回転軸部１３の近傍に配設されており、テコの原理で回動する一対の挟持レバー６１が、比較的小さな力で、回動軸部１３を強く且つ弾力的に挟持できるようになっている。
【００３６】
各摺接部６７は、回転軸部１３に均一且つ適度な摩擦力を作用させるべく、フェルトで構成されている（図３および図４参照）。レバー本体６６の先端部は、内側が大きく切り欠かれ且つ上側に折曲げ形成されており、この折曲げ形成した部分に、摺接部６７（フェルト）が装着されている。また、一対の摺接部６７は、回転軸部１３の中心に対し１８０°点対称位置に配置されている。これにより、回転軸部１３には、中心を通り且つ相互に拮抗する押圧力のみ（分力無し）が作用し、回転軸部１３のガタツキや偏った摩耗が防止される。
【００３７】
図５および図６に示すように、レバー付勢部６４は、一対の挟持レバー６１を相互に逆方向に付勢するコイルばね８１（圧縮ばね）と、コイルばね８１を保持するばねホルダ８２と、を有している。ばねホルダ８２は、ベース部本体４１のスライド溝８４にスライド自在に係合するスライド部８５と、スライド部８５の一方の端部に立設されたばね受けコマ８６と、ばね受けコマ８６から延びるばね保持部８７と、で一体に形成されている（図６（ａ）参照）。スライド溝８４は、一対の挟持レバー６１と直交する方向に延在しており、ばねホルダ８２もスライド溝８４と同方向に延在している（図６参照）。
【００３８】
ばね保持部８７は棒状に形成され、その先端部は、上記の係合片部６８の挿通孔６８ａに挿通している。また、ばね保持部８７には、これに巻回するようにコイルばね８１が装着されており、コイルばね８１は、圧縮された状態で、左挟持レバー６１Ａの係合片部６８とばね受けコマ８６との間に介設されている。一方、ばね受けコマ８６は、コイルばね８１のばね力を受けた状態で板カム８８に接触している（図５参照）。すなわち、ばね受けコマ８６は、板カム８８のカムフォロアを兼ねており、ばねホルダ８２は、板カム８８のカム曲線に倣って進退自在にスライドする（詳細は、後述する）。
【００３９】
図４および図５に示すように、負荷調節部８は、右挟持レバー６１Ｂの基端部に回転可能に設けられ、コイルばね８１を伸縮させる板カム８８と、板カム８８を正逆回転させる調節操作部８９と、を有している。また、調節操作部８９は、同軸上において板カム８８に固定した第１ギヤ９１と、第１ギヤ９１に噛み合う第２ギヤ９２と、同軸上において第２ギヤ９２に軸着した負荷調整つまみ９３（調節操作子）と、を有している（図２および図４参照）。そして、板カム８８および第１ギヤ９１は、上記の右挟持レバー６１Ｂの支持ピン６９に回転自在に支持され、第２ギヤ９２および負荷調整つまみ９３は、上記の機構収容部４７に立設したギヤ軸９４に回転自在に支持されている（図２および図６参照）。
【００４０】
板カム８８は、渦巻状のカム曲線を有しており、カムフォロアとなる上記のばね受けコマ８６にカム係合している。板カム８８を図示の時計回りに回転させることにより、コイルばね８１のばね力を受けてばねホルダ８２が後退し、コイルばね８１が伸長する。逆に、板カム８８を反時計回りに回転させることにより、コイルばね８１のばね力に抗してばねホルダ８２が前進し、コイルばね８１が収縮する。この場合、コイルばね８１のばね力は、係合片部６８を介して左挟持レバー６１Ａに作用すると同時、ばね受けコマ８６、板カム８８および支持ピン６９を介して右挟持レバー６１Ｂに作用する。
【００４１】
したがって、左挟持レバー６１Ａおよび右挟持レバー６１Ｂ（一対の挟持レバー６１）は、コイルばね８１の均一なばね力により、相互に外側に回動する。一方、各挟持レバー６１の摺接部６７は回転軸部１３に接触しており、この接触力、すなわち挟持力は、伸長或いは収縮するコイルばね８１により調節される。このように、板カム８８の正逆回転操作により、一対の挟持レバー６１と回転軸部１３との間の摩擦力が調整され、回転軸部１３に付与される制動負荷が調節される。
【００４２】
一方、負荷調整つまみ９３の右回転（時計回りの回転）は、第２ギヤ９２および第１ギヤ９１を介して、板カム８８を反時計回りに回転させる。一方、負荷調整つまみ９３の左回転（反時計回りの回転）は、第２ギヤ９２および第１ギヤ９１を介して、板カム８８を時計回りに回転させる。したがって、負荷調整つまみ９３を、右回転させることにより、回転軸部１３を介してジョグダイヤル２に付与される制動負荷が大きくなり、左回転させることにより、回転軸部１３を介してジョグダイヤル２に付与される制動負荷が小さくなる。
【００４３】
次に、図７を参照して、第２実施形態に係るジョグダイヤルユニット１Ａについて説明する。図７は、第２実施形態に係るジョグダイヤルユニット１Ａを模式的に表した断面図である。同図に示すように、このジョグダイヤルユニット１Ａでは、ジョグダイヤル２に回転軸部１３Ａが直接取り付けられており、ジョグダイヤル２は、この回転軸部１３Ａを介して、ベース部４に回転自在に支持されている。ベース部４には、回転軸部１３Ａに対応して、円筒ボス部１０１が設けられると共に、円筒ボス部１０１の内側に回転軸部１３Ａが嵌合する軸受リング１０２が設けられている。
【００４４】
軸受リング１０２は、ジョグダイヤル２からスラスト力を受ける滑り軸受で構成されている。そして、回転軸部１３Ａは真鍮等で構成され、軸受リング１０２はステンレス等で構成されている。なお、図中の符号１０３は、回転軸部１３Ａに装着した抜止め用の止め輪である。
【００４５】
本実施形態の回転軸部１３Ａは、円筒ボス部１０１から更に下方に延長されており、この軸延長部１３Ａａに制動負荷が付与されるようになっている。第２実施形態の回転制動機構５Ａは、ベース部４の下側に組み込まれており、第１実施形態と同様の、ジョグダイヤル２に制動負荷を付与する負荷付与部７と、制動負荷を調節可能な負荷調節部８と、を有している。また、負荷付与部７は、先端部で回転軸部１３Ａを径方向に挟持する一対の挟持レバー６１や、一対の挟持レバー６１を相互に逆方向に付勢するレバー付勢部６４等、を有している。さらに、負荷調節部８は、負荷調節部８は、板カム８８と、板カム８８に固定した第１ギヤ９１と、第１ギヤ９１に噛み合う第２ギヤ９２と、第２ギヤ９２に軸着した負荷調整つまみ９３（調節操作子）と、を有している。
【００４６】
このように、第２実施形態の回転制動機構５Ａは、第１実施形態の回転制動機構５と同一の基本構造を有しているため、負荷調整つまみ９３を、右回転させることにより、回転軸部１３Ａを介してジョグダイヤル２に付与される制動負荷が大きくすることができると共に、左回転させることにより、回転軸部１３Ａを介してジョグダイヤル２に付与される制動負荷が小さくすることができる。
【００４７】
以上のように、本実施形態によれば、ジョグダイヤル２の回転軸部１３，１３Ａを一対の挟持レバー６１により挟持することで、ジョグダイヤル２に制動負荷を付与するようにしているため、従来技術のように、ジョグダイヤル２の回転に伴うギヤの噛み合い等が生ずることがない。したがって、ジョグダイヤル２の正逆回転における騒音の発生が防止され、静音性を向上させることができる。また、回転軸部１３，１３Ａを径方向に挟持する構造としているため、回転制動機構５，５Ａの構造を単純化することができる。このことはまた、部品点数や組付け工数の削減を可能にすると共に、耐久性を向上させることを可能とする。
【００４８】
また、コイルばね８１を用いて、一対の挟持レバー６１に均一な挟持力を作用させることができると共に、一対の摺接部６７を１８０°点対称位置に配置するようにしているため、回転軸部１３，１３Ａのガタツキや不均一な摩耗が防止され、この点でも、耐久性を向上させることができる。
【００４９】
さらに、負荷調節部８により、制動負荷を大小調節可能に構成されているため、プレーヤーをして、好みの操作感を得ることができる。しかも、負荷調節部８の主要部分を構成する板カム８８を、一方の挟持レバー６１に取り付けるようにしているため、一対の挟持レバー６１による均一且つ弾力的な挟持力を回転軸部１３，１３Ａに作用させつつ、この部分の構造を単純化することができる。
【符号の説明】
【００５０】
１，１Ａ  ジョグダイヤルユニット、２  ジョグダイヤル、３  表示デバイス部、４  ベース部、５，５Ａ  回転制動機構、７  負荷付与部、８  負荷調節部、１１  ジョグダイヤル本体、１２  ダイヤル支持体、１３，１３Ａ  回転軸部、１３Ａａ  軸延長部、２７  軸部本体、４１  ベース部本体、４２  ピボット部、４８  機構設置スペース、５２  ピボットリング、６１  挟持レバー、６１Ａ  左挟持レバー、６１Ｂ  右挟持レバー、６２  回動支軸部、６４  レバー付勢部、６６  レバー本体、６７  摺接部、６８  係合片部、６９  支持ピン、８１  コイルばね、８２  ばねホルダ、８８  板カム、８９  調節操作部、９１  第１ギヤ、９２  第２ギヤ、９３  負荷調節つまみ、１０２  軸受リング
【図１】
2015114792.tif 000003
【図２】
2015114792.tif 000004
【図３】
2015114792.tif 000005
【図４】
2015114792.tif 000006
【図５】
2015114792.tif 000007
【図６】
2015114792.tif 000008
【図７】
2015114792.tif 000009